(57)【要約】【課題】  回転多面鏡の回転軸の倒れ方向の位置決め精度を向上させる。【解決手段】  回転多面鏡３４の回転軸５２を軸受部５３によって回転自在に保持する光偏向器３３をハウジング２０の内部に備え、ハウジング２０に嵌合保持部６１を有し、この嵌合保持部６１によって、回転軸５２の軸方向が規定の方向と一致する向きに軸受部５３を嵌合保持して回転軸５２の倒れ方向の位置決めを行う構成とする。これにより、軸受部５３がハウジング２０に直接保持されるので、回転軸５２の倒れ方向の位置決め精度を向上させることができる。【選択図】    図３
2005266424.tif 000002
【特許請求の範囲】
【請求項１】
光源から出射された光ビームを回転駆動した回転多面鏡によって偏向する光偏向器を備えた光書込装置において、
ハウジングと、
前記回転多面鏡の回転軸を回転自在に保持する軸受部と、
前記ハウジングに一体に設けられ、前記回転軸の軸方向が規定の方向と一致する向きに前記軸受部を嵌合保持して前記回転軸の倒れ方向の位置決めを行う嵌合保持部と、
を備えることを特徴とする光書込装置。
【請求項２】
前記嵌合保持部は、前記回転軸の軸方向の位置決めを行うことを特徴とする請求項１記載の光書込装置。
【請求項３】
前記嵌合保持部は、前記ハウジングの他の部分よりも熱伝導性の高い材質で形成されている、ことを特徴とする請求項１又は２記載の光書込装置。
【請求項４】
前記嵌合保持部は、前記ハウジングの外部に露出していることを特徴とする請求項１ないし３の何れか一記載の光書込装置。
【請求項５】
前記光偏向器は、前記回転多面鏡を回転駆動する駆動源を制御する回路が搭載され前記軸受部に固定されたドライブ基板を有し、
前記嵌合保持部は、前記ドライブ基板を保持している、ことを特徴とする請求項１ないし４の何れか一記載の光書込装置。
【請求項６】
前記嵌合保持部には、前記ハウジングの外部に向かって突出して形成された放熱部が設けられていることを特徴とする請求項４記載の光書込装置。
【請求項７】
前記嵌合保持部に向けて送風する送風器を備えることを特徴とする請求項１ないし６の何れか一記載の光書込装置。
【請求項８】
前記送風器の送風による気流を前記嵌合保持部に導くダクトを備えることを特徴とする請求項７記載の光書込装置。
【請求項９】
前記光偏向器は、前記回転多面鏡を回転駆動する駆動源を制御する回路が搭載され前記軸受部に固定されたドライブ基板を有し、
前記軸受部の前記嵌合部への嵌合方向に向けて前記ドライブ基板を押して前記光偏向器を前記ハウジングに押し付けて前記ハウジングに固定する押圧部材を備える、ことを特徴とする請求項１ないし４の何れか一記載の光書込装置。
【請求項１０】
前記光偏向器は、前記回転多面鏡を回転駆動する駆動源を制御する回路が搭載され前記軸受部に固定されたドライブ基板を有し、
前記ドライブ基板は、接着剤によって前記ハウジングに取り付けられている、ことを特徴とする請求項１ないし４の何れか一記載の光書込装置。
【請求項１１】
前記軸受部を前記嵌合保持部へネジ止めするネジ止め構造によって前記光偏向器が前記ハウジングに固定されていることを特徴とする請求項１ないし８の何れか一記載の光書込装置。
【請求項１２】
請求項１ないし１１の何れか一記載の光書込装置と、
前記光書込装置から走査される光ビームに基づいて電子写真方式で画像を形成する画像形成部と、
を備えることを特徴とする画像形成装置。
【発明の詳細な説明】
【技術分野】
【０００１】
本発明は、光偏向器により光ビームを偏向する光書込装置及びこれを備えた画像形成装置に関する。
【背景技術】
【０００２】
従来、電子写真方式のプリンタなどの画像形成装置では、光書込装置によって感光体上を露光走査して感光体に静電潜像を作成し、この静電潜像をトナーで現像し、このトナー像を記録材に転写している。
【０００３】
光書込装置では、光源から光ビームを出射し、この光ビームを光偏向器のポリゴンミラー（回転多面鏡）によって主走査方向に偏向し、この光ビームを結像系を経由させて感光体上に光スポットとして集光させている（例えば、特許文献１，２参照）。このような光書込装置では、光源、光偏向器及び結像系などは、ハウジング内に収納保持されている。
【０００４】
図１４及び図１５に光偏向器２００を示す。ポリゴンミラー２０２の回転軸２０３は、軸受部２０４によって回転自在に保持されている。軸受部２０４は、図示しないポリゴンモータを制御する回路が搭載されたドライブ基板２０５に締結されて一体化されている。光書込装置のハウジング２０１への取り付けの際には、ハウジング２０１に設けられた軸受部２０４よりも大きい仮位置決め用の穴２０６に軸受部２０４を遊嵌して仮位置決めを行い、この状態で、ネジ２０７によってドライブ基板２０５をハウジング２０１の基板保持部２０８に締結する。これにより、光偏向器２００がハウジング２０１に固定決めされる。このとき軸受部２０４とハウジング２０１との間には隙間があいている。つまり、ポリゴンミラー２０２、回転軸２０３及び軸受部２０４は、ドライブ基板２０５を介してハウジング２０１に取り付けられている。
【０００５】
【特許文献１】特開実公平６−４５９２６号公報
【特許文献２】特開２０００−３３００６０公報
【発明の開示】
【発明が解決しようとする課題】
【０００６】
この構造では、ポリゴンミラー２０２の回転軸２０３の倒れ方向の位置決めをしているのは、回転軸２０３、軸受部２０４、ドライブ基板２０５、基板保持部２０８の部品精度及びこれらの取り付け精度などであり、回転軸２０３の倒れ方向の位置決め精度の向上には、それらの精度確保が要求される。しかしながら、この構造では、ドライブ基板２０５の部品精度における平面性の確保が難しいという問題があり、さらに、組み立てによりドライブ基板２０５が撓んだりしてさらにドライブ基板２０５の平面性の精度確保が難しく、これにより、回転軸２０３の倒れ方向の位置決め精度を確保することが困難であるという問題がある。回転軸２０３の倒れ方向の位置決め精度が悪いと、ポリゴンミラー２０２によって偏向された光ビームは結像系の理想位置から外れた位置に走査されることになり、感光体上のビーム特性の劣化を招く。これによって、画像品質に対しても劣化影響を及ぼすことになる。
【０００７】
本発明の目的は、回転多面鏡の回転軸の倒れ方向の位置決め精度を向上させることである。
【課題を解決するための手段】
【０００８】
請求項１記載の発明は、光源から出射された光ビームを回転駆動した回転多面鏡によって偏向する光偏向器を備えた光書込装置において、ハウジングと、前記回転多面鏡の回転軸を回転自在に保持する軸受部と、前記ハウジングに一体に設けられ、前記回転軸の軸方向が規定の方向と一致する向きに前記軸受部を嵌合保持して前記回転軸の倒れ方向の位置決めを行う嵌合保持部と、を備える。
【０００９】
請求項２記載の発明は、請求項１記載の光書込装置において、前記嵌合保持部は、前記回転軸の軸方向の位置決めを行う。
【００１０】
請求項３記載の発明は、請求項１又は２記載の光書込装置において、前記嵌合保持部は、前記ハウジングの他の部分よりも熱伝導性の高い材質で形成されている。
【００１１】
請求項４記載の発明は、請求項１ないし３の何れか一記載の光書込装置において、前記嵌合保持部は、前記ハウジングの外部に露出している。
【００１２】
請求項５記載の発明は、請求項１ないし４の何れか一記載の光書込装置において、前記光偏向器は、前記回転多面鏡を回転駆動する駆動源を制御する回路が搭載され前記軸受部に固定されたドライブ基板を有し、前記嵌合保持部は、前記ドライブ基板を保持している。
【００１３】
請求項６記載の発明は、請求項４記載の光書込装置において、前記嵌合保持部には、前記ハウジングの外部に向かって突出して形成された放熱部が設けられている。
【００１４】
請求項７記載の発明は、請求項１ないし６の何れか一記載の光書込装置において、前記嵌合保持部に向けて送風する送風器を備える。
【００１５】
請求項８記載の発明は、請求項７記載の光書込装置において、前記送風器の送風による気流を前記嵌合保持部に導くダクトを備える。
【００１６】
請求項９記載の発明は、請求項１ないし４の何れか一記載の光書込装置において、前記光偏向器は、前記回転多面鏡を回転駆動する駆動源を制御する回路が搭載され前記軸受部に固定されたドライブ基板を有し、前記軸受部の前記嵌合部への嵌合方向に向けて前記ドライブ基板を押して前記光偏向器を前記ハウジングに押し付けて前記ハウジングに固定する押圧部材を備える。
【００１７】
請求項１０記載の発明は、請求項１ないし４の何れか一記載の光書込装置において、前記光偏向器は、前記回転多面鏡を回転駆動する駆動源を制御する回路が搭載され前記軸受部に固定されたドライブ基板を有し、前記ドライブ基板は、接着剤によって前記ハウジングに取り付けられている。
【００１８】
請求項１１記載の発明は、請求項１ないし８の何れか一記載の光書込装置において、前記軸受部を前記嵌合保持部へネジ止めするネジ止め構造によって前記光偏向器が前記ハウジングに固定されている。
【００１９】
請求項１２記載の発明の画像形成装置は、請求項１ないし１１の何れか一記載の光書込装置と、前記光書込装置から走査される光ビームに基づいて電子写真方式で画像を形成する画像形成部と、を備える。
【発明の効果】
【００２０】
本発明によれば、軸受部がハウジングに直接保持されて回転軸の倒れ方向の位置決めが行われるので、回転多面鏡の回転軸の倒れ方向の位置決め精度を向上させることができる。
【発明を実施するための最良の形態】
【００２１】
［第１の実施の形態］
本発明の第１の実施の形態を図１ないし図３に基づいて説明する。本実施の形態の画像形成装置は、デジタル複写機、ファクシミリ装置、プリンタ等に適用し得るが、その一例として、電子写真方式を利用したデジタル複写機への適用例を示す。
【００２２】
図１はデジタル複写機１の概略構成を示す縦断正面図である。デジタル複写機１の装置本体２の内部には画像形成部３が設けられている他、用紙をこの画像形成部３による印刷に供する給紙トレイ４、印刷済みの用紙が排紙される排紙トレイ５が設けられている。さらに、装置本体２の上部にはコピーすべき原稿の画像を読み取る画像読取装置（スキャナ装置）６や、オペレータが各種操作を行うためのキー部やＬＣＤ等による表示部を有する図示しない操作パネルが設けられている。
【００２３】
画像形成部３を説明する。画像形成部３は電子写真方式によるものであり、所定の速度で回転駆動されるドラム状の感光体１１を中心に構成されている。感光体１１の周囲には帯電チャージャ１２、光書込装置１３、現像ユニット１４、転写チャージャ１５、クリーニング装置１６などが配置されている。感光体１１は、帯電チャージャ１２により一様に帯電され、光書込装置１３によって静電潜像を書き込まれ、現像ユニット１４によってトナー像を現像される。搬送部１７により給紙トレイ４から送り出された用紙は、搬送路１８に沿って搬送され図示しないレジストローラを経由して転写チャージャ１５により感光体１１の表面のトナー像を転写され、定着装置１９によって加熱、加圧されトナーを溶融、定着され、その後、排紙トレイ５に排紙される。
【００２４】
図２は光書込装置１３の内部構造を概略的に示す平面図である。光書込装置１３は、扁平なハウジング２０を備えている。このハウジング２０の内部には、以下に説明する各種光学素子が収納保持されている。
【００２５】
ハウジング２０の内部には、光ビームを出射する光源部３０が設けられている。光源部３０は、光ビームを出射する光源である半導体レーザ３１と、半導体レーザ３１から出射された光ビームをコリメートするコリメートレンズ等の光学部品３２とから構成されている。
【００２６】
光源部３０の光ビームが出射される出射面側には、光偏向器３３が配置されている。光偏向器３３は、回転自在に保持された回転多面鏡であるポリゴンミラー３４を備えている。このポリゴンミラー３４が駆動源であるポリゴンモータ（図示せず）によって回転駆動されて、水平面内で光源部３０から出射された光ビームを偏向走査させる。ポリゴンミラー３４は、正六角形に形成され、光ビームを反射する６つの反射面３４ａを有しており、光源部３０から出射された光ビームを感光体１１の周囲に向けて偏向走査させる。なお、ポリゴンミラー３４によって偏向走査される光ビームの走査方向が主走査方向であり、これは感光体１１の軸方向である。また、この主走査方向に直交する方向が副走査方向であり、これは感光体１１の回転方向である。上述したポリゴンモータは、ドライブ基板５１に搭載された図示しない回路によって制御される。この光偏向器３３については、詳細を後述する。
【００２７】
ポリゴンミラー３４の偏向走査方向には、ポリゴンミラー３４により偏向された光ビームを等角速度光から等速度直線光に変換するｆθレンズ３５、光ビームを感光体１１に導く光学系である偏向ミラー３６等の結像系が設けられており、これらはポリゴンミラー３４により偏向走査された光ビームを感光体１１の表面の書き込み領域に照射させるように位置付けられている。これにより、感光体１１の表面に画像である静電潜像が形成される。また、ポリゴンミラー３４により偏向された各光ビームは、ｆθレンズ３５によりｆθ特性が良好に補正され、感光体１１の表面に所定のビームスポット径で結像される。ここに、ｆθレンズ３５が、光ビームを所定のビームスポット径に整形する整形レンズとして機能している。
【００２８】
さらに、光書込装置１３には、ポリゴンミラー３４より偏向走査された光ビームのうち感光体１１の表面の書き込み領域以外の光ビームを検出する光検出器３７が設けられている。この光検出器３７は、光ビームの主走査方向の書き込みタイミングを取るための同期信号を生成するために用いられている。
【００２９】
次に、光偏向器３３について図３に基づいて詳しく説明する。図３は光偏向器３３の取り付け構造を示す縦断側面図である。
【００３０】
図３に示すように、ポリゴンミラー３４には上下方向を軸方向とする回転軸５２が固定されている。この回転軸５２の下部が、軸受部５３によって回転自在に保持されている。軸受部５３は、軸受け構造を有し、この軸受け構造によって回転軸５２を回転自在に保持している。軸受部５３の上部には、ドライブ基板５１が固定されている。詳しくは、ドライブ基板５１に形成された図示しない取付穴に軸受部５３の上面から上方へ延出して形成された突部５４が嵌合している。これにより軸受部５３とドライブ基板５１とが一体化されている。
【００３１】
ハウジング２０の底壁５５には、上下方向に形成された嵌合穴５６が形成されており、この嵌合穴５６を形成している嵌合穴５６の周囲のハウジング２０によって軸受部５３の位置決めを行う嵌合保持部６１が構成されている。ここに、嵌合保持部６１は、ハウジング２０に一体に形成されハウジング２０を構成している。また、嵌合保持部６１は、底を有しており、これにより、ハウジング２０内部の密閉性が確保される。嵌合保持部６１では、回転軸５２の軸方向に沿って嵌合穴５６に挿入された軸受部５３の下部が嵌合保持部６１に嵌合する。このとき、嵌合保持部６１の内側面６１ａと軸受部５３との間は隙間がない。この状態で、嵌合保持部６１は、回転軸５２の軸方向を規定の方向と一致する向きに向けるように形成されている。具体的には、嵌合保持部６１は、光源部３０から入射されポリゴンミラー３４で偏向させた光ビームが規定の光路を進んで結像系（ｆθレンズ３５、偏向ミラー３６等）に入射されるように、回転軸５２の軸方向の向きを位置決めしている。このような構造の嵌合保持部６１によって、ポリゴンミラー３４の回転軸５２の倒れ方向の位置決めが行われている。
【００３２】
さらに、ハウジング２０の内面には、上方へ突出して形成されドライブ基板５１を保持する基板保持部６３が設けられている。基板保持部６３は、ドライブ基板５１の４隅に対応させて４つ設けられている（図２参照）。ドライブ基板５１は、これらの基板保持部６３にネジ６４によってネジ止めされる。これにより、水平面内での光偏向器３３の回転が規制されている。
【００３３】
このような構成により、軸受部５３がハウジング２０に直接保持されて回転軸５２の倒れ方向の位置決めが行われているので、ポリゴンミラー３４の回転軸５２の倒れ方向の位置決め精度を向上させることができる。このように、ポリゴンミラー３４の回転軸５２の倒れ方向の位置決め精度が向上するので、ポリゴンミラー３４以降の光路を理想的な位置に近づけることができ、これにより、感光体１１の表面のビーム特性が良好に保たれ、良好な画質を得ることができる。
【００３４】
また、このような構成では、ドライブ基板５１を保持する基板保持部６３の精度、ドライブ基板５１の平面性にかかわる精度、ドライブ基板５１と軸受部５３との締結精度があるために、ドライブ基板５１と基板保持部６３との間には例えば図３に示すように微小な隙間ａが生じる可能性があるが、これは、ネジ６４で締結する上で特に問題とはならない。なお、図では説明のために隙間ａを誇張して表現している。
【００３５】
［第２の実施の形態］
次に、本発明の第２の実施の形態を図４に基づいて説明する。なお、前述した実施の形態と同じ部分は同一符号で示し、説明も省略する（以降の実施の形態でも同じ）。
【００３６】
図４は本実施の形態の光偏向器３３の取り付け構造を示す縦断側面図である。本実施の形態は、光偏向器３３の取り付け構造が前述した実施の形態に対して異なる。本実施の形態では、嵌合保持部７１の内部の底面７１ａが軸受部５３の下面を保持している。つまり、嵌合保持部７１がポリゴンミラー３４の上下方向（軸方向）の位置決めを行っている。
【００３７】
このような構成により、光ビームに対するポリゴンミラー３４の上下方向の位置を高精度に維持することができる。これにより、限られたポリゴンミラー３４の反射面３４ａの有効範囲を有効に利用することができる。逆にいえば、ポリゴンミラー３４を薄く、又は、有効範囲を狭くすることができるので、ポリゴンミラー３４の風損を減らしたり、コストを低く抑えることができる。
【００３８】
また、この場合にも、ドライブ基板５１と基板保持部６３との間には、例えば寸法誤差により微小な隙間ｂ，ｃができる可能性があるが、取り付け上は問題となるレベルではない。なお、図では説明のために隙間ｂ，ｃを誇張して表現している。また、逆に、基板保持部６３の寸法誤差によっては、軸受部５３の下面と嵌合保持部７１の底面７１ａとを離反させる方向にドライブ基板５１が多少湾曲するが、軸受部５３と嵌合保持部７１とをしまりばめで強固に結合させることにより、軸受部５３と嵌合保持部７１との位置関係は保持され問題とならない。
【００３９】
［第３の実施の形態］
次に、本発明の第３の実施の形態を図５に基づいて説明する。
【００４０】
図５は本実施の形態の光偏向器３３の取り付け構造を示す縦断側面図である。本実施の形態では、嵌合保持部８１が前述した実施の形態に対して異なる。本実施の形態は、前述した実施の形態の何れの形態にも適用可能であるが、ここでは、第１の実施の形態に適用した例を示す。
【００４１】
本実施の形態では、嵌合保持部８１の材質がハウジング２０の他の部分（以後、ハウジング本体２０ａという）の材質よりも熱伝導率の高い材質で形成されている。ここで、例えば、ハウジング本体２０ａの材質は樹脂モールド材であり、嵌合保持部８１の材質はアルミニウムである。嵌合部材８１は、本体ハウジング２０ａに対してアウトサート成形、接着、ネジ止め等の方法によって固定されて一体化されている。また、嵌合保持部８１における嵌合穴５６とは反対側は、ハウジング２０の外部に露出している。
【００４２】
このような構成においては、例えば嵌合保持部８１の材質がハウジング本体２０ａと同じ樹脂モールド材の場合に比べて、軸受部５３の熱が効率良く嵌合保持部８１に伝わるので、構造上発熱する軸受部５３の温度上昇を抑えることができる。これにより、軸受部５３の内部のオイルの劣化が防止され、光偏向器３３の特性を長時間、良好に維持することができる。
【００４３】
また、嵌合保持部８１がハウジング２０の外部に露出しているので、軸受部５３の熱が嵌合保持部８１を介してハウジング２０の外部に放熱される。よって、軸受部５３の温度上昇を抑えることができるとともに、密閉されたハウジング２０の内部の温度上昇を抑えることができ、熱による光書込装置１３の光学素子の光学特性への悪影響を抑えることができる。
【００４４】
［第４の実施の形態］
次に、本発明の第４の実施の形態を図６に基づいて説明する。
【００４５】
図６は本実施の形態の光偏向器３３の取り付け構造を示す縦断側面図である。本実施の形態では、嵌合保持部９１が第３の実施の形態に対して異なる。
【００４６】
本実施の形態の嵌合保持部９１は、第３の実施の形態の嵌合保持部８１よりも外形が大きくとられ、基板保持部６３を含んだ形状で形成されている。これにより、基板保持部６３の材質も嵌合保持部９１と同じ例えばアルミニウム等のハウジング本体２０ａよりも熱伝導率の高い材質となっている。
【００４７】
ここで、光偏向器３３における発熱源としては、軸受部５３、ポリゴンミラー３４の風切りによるものの他に、ドライブ基板５１上の回路が考えられる。よって、ドライブ基板５１を保持する基板保持部６３を熱伝導率の高い材料で構成したことにより、ドライブ基板５１で発生した熱が嵌合保持部９１を介してハウジング２０の外部に効率よく放出されるので、光偏向器３３及び光書込装置１３の温度上昇をさらに抑えることができる。また、軸受部５３の回転軸５２の軸方向の倒れ方向の位置出しと、ドライブ基板５１の取付けとを単一の部材（嵌合保持部９１）で行えるため、第３の実施の形態の嵌合保持部８１よりもさらに精度的に有利となり、光偏向器３３を取り付けたときのドライブ基板５１の歪を小さく抑えることができる。
【００４８】
［第５の実施の形態］
次に、本発明の第５の実施の形態を図７に基づいて説明する。
【００４９】
図７は本実施の形態の光偏向器３３の取り付け構造を示す縦断側面図である。本実施の形態では、嵌合保持部１０１が前述した実施の形態に対して異なる。本実施の形態は、前述した実施の形態の何れの形態にも適用可能であるが、ここでは、第３の実施の形態に適用した例を示す。
【００５０】
本実施の形態の嵌合保持部１０１には、ハウジング２０の外部に向かって突出して形成された放熱部１０２が設けられている。この放熱部１０２は、板形状のいわゆるフィンであってもよいし、それ以外の形状の突起であってもよい。
【００５１】
このような構成によって、嵌合保持部１０１の外面の表面積が増加して放熱効果がさらに高まり、光偏向器３３及び光書込装置１３の温度上昇をさらに抑制することができる。
【００５２】
［第６の実施の形態］
次に、本発明の第６の実施の形態を図８に基づいて説明する。
【００５３】
図８は本実施の形態の光偏向器３３の取り付け構造を示す縦断側面図である。本実施の形態は、光偏向器３３に送風器１１０を設けた点が前述した実施の形態に対して異なる。本実施の形態は、前述した実施の形態の何れにも適用可能であるが、ここでは、第３の実施の形態に適用した例を示す。
【００５４】
送風器１１０は、図示しない駆動モータによって羽根車１１１を回転駆動させて送風する構成である。この送風器１１０は、ハウジング２０の外部に配置されて、嵌合保持部８１の下部に向けて送風する。
【００５５】
このような構成では、送風器１１０によって嵌合保持部８１の下部に送風することによって、嵌合保持部８１が冷却され、これによって、光偏向器３３及び光書込装置１３の温度上昇が抑えられる。ここで、例えば送風器１１０による気流をハウジング２０の外部から内部に導入させて軸受部５３を冷却することはハウジング２０の防塵性を悪化させる要因となり難しいが、本実施の形態では、ハウジング２０の外部から嵌合保持部８１に送風して、この嵌合保持部８１を介して軸受部５３を冷却するようにしたので、ハウジング２０の防塵性を確保することができる。
【００５６】
［第７の実施の形態］
次に、本発明の第７の実施の形態を図９及び図１０に基づいて説明する。
【００５７】
図９は本実施の形態の光偏向器３３の取り付け構造を示す縦断側面図、図１０はその背面断面図である。本実施の形態では、第６の実施の形態に対して、送風器１１０の気流を嵌合保持部８１の下部の外面に導くダクト１２０を設けた点が異なる。このダクト１２０は、ハウジング２０の外面に取り付けられている。
【００５８】
このような構成によって、送風器１１０による気流を効率よく嵌合保持部８１に導くことができ、軸受部５３の温度上昇をより低く抑えることができる。
【００５９】
［第８の実施の形態］
次に、本発明の第８の実施の形態を図１１に基づいて説明する。
【００６０】
図１１は本実施の形態の光偏向器３３の取り付け構造を示す縦断側面図である。本実施の形態は、ドライブ基板５１の取り付け構造が前述した実施の形態に対して異なる。本実施の形態は、前述した実施の形態の何れにも適用可能であるが、ここでは、第１の実施の形態に適用した例を説明する。
【００６１】
本実施の形態では、ドライブ基板５１をハウジング２０にネジ止めしていない。基板保持部６３には、上方へ突出したボス１３０が形成されている。このボス１３０に、ドライブ基板５１の４隅に形成された図示しない貫通孔が嵌合し、ドライブ基板５１が基板保持部６３に保持されて、光偏向器３３の水平面内での回転移動が規制される。そして、ハウジング２０の内面に設けられた押圧部材である板バネ１３１によって、ドライブ基板５１の両端部が上方から下方へ向けて押されている。これにより、光偏向器３３がハウジング２０に対して押圧されて固定される。
【００６２】
このような構成により、上述したようにドライブ基板５１と基板保持部６３とに間隔が開いたとしても、ネジ止めによる締結に較べて、ドライブ基板５１に与えるストレスを小さく抑えることができる。これにより、ドライブ基板５１が変形することによるドライブ基板５１上の回路パターンの破断や回路中の電子部品の接触不良が発生することを防止することができる。
【００６３】
［第９の実施の形態］
次に、本発明の第９の実施の形態を図１２に基づいて説明する。
【００６４】
図１２は本実施の形態の光偏向器３３の取り付け構造を示す縦断側面図である。本実施の形態は、第８の実施の形態に対してドライブ基板５１の取り付け構造が異なる。本実施の形態では、板バネ１３１ではなく、ドライブ基板５１と基板保持部６３との間に接着剤１４０を介在させて、光偏向器３３をハウジング２０に固定している。これによって、前述したようなドライブ基板５１と基板保持部６３との間の隙間はなくなる。
【００６５】
このような構成においては、ドライブ基板５１と基板保持部６３との結合にネジ６４を使用しないので、構造が簡略化される。
【００６６】
［第１０の実施の形態］
次に、本発明の第１０の実施の形態を図１３に基づいて説明する。
【００６７】
図１３は本実施の形態の光偏向器３３の取り付け構造を示す縦断側面図である。
【００６８】
本実施の形態は、第８及び第９の実施の形態に対して光偏向器３３の取り付け構造が異なる。本実施の形態では、第８の実施の形態の板バネ１３１や第９の実施の形態の接着剤１４０によるドライブ基板５１のハウジング２０への固定は行われない。その代わりに、軸受部５３をハウジング２０に対してネジ１５０によって直接ネジ止めしている。ここで、本実施の形態の嵌合保持部１５１は、第２の実施の形態で説明した嵌合保持部７１を変形したものであり、嵌合保持部７１と同様に軸受部５３の下面を保持している。ネジ止め構造としては、嵌合保持部１５１の底に、ネジ１５０が貫通する貫通孔１５２が形成され、軸受部５３の下部に、ネジ１５０が螺合する雌ネジが形成されている。そして、軸受部５３の下面を嵌合保持部１５１で保持した状態で軸受部５３をハウジング２０にネジ１５０によってネジ止めしている。このようなネジ止め構造によって、光偏向器３３がハウジング２０に固定される。また、本実施の形態では、基板保持部６３とドライブ基板５１とは微小な間隔をもって配置される。
【００６９】
このような構成によって、ドライブ基板５１は軸受部５３によって保持された状態となり、この状態では、ドライブ基板５１を変形させる力は発生しないので、ドライブ基板５１が変形することが防止される。
【図面の簡単な説明】
【００７０】
【図１】本発明の第１の実施の形態の画像形成装置の概略構成を示す縦断側面図である。
【図２】光書込装置の内部構造を示す平面図である。
【図３】光偏向器の取り付け構造を示す縦断側面図である。
【図４】本発明の第２の実施の形態の光偏向器の取り付け構造を示す縦断側面図である。
【図５】本発明の第３の実施の形態の光偏向器の取り付け構造を示す縦断側面図である。
【図６】本発明の第４の実施の形態の光偏向器の取り付け構造を示す縦断側面図である。
【図７】本発明の第５の実施の形態の光偏向器の取り付け構造を示す縦断側面図である。
【図８】本発明の第６の実施の形態の光偏向器の取り付け構造を示す縦断側面図である。
【図９】本発明の第７の実施の形態の光偏向器の取り付け構造を示す縦断側面図である。
【図１０】その背面断面図である。
【図１１】本発明の第８の実施の形態の光偏向器の取り付け構造を示す縦断側面図である。
【図１２】本発明の第９の実施の形態の光偏向器の取り付け構造を示す縦断側面図である。
【図１３】本発明の第１０の実施の形態の光偏向器の取り付け構造を示す縦断側面図である。
【図１４】従来の光偏向器を示す縦断側面図である。
【図１５】その平面図である。
【符号の説明】
【００７１】
１      デジタル複写機（画像形成装置）
３      画像形成部
１３    光書込装置
２０    ハウジング
３１    半導体レーザ（光源）
３３    光偏向器
３４    ポリゴンミラー（回転多面鏡）
５１    ドライブ基板
５２    回転軸
５３    軸受部
６１    嵌合保持部
７１    嵌合保持部
８１    嵌合保持部
９１    嵌合保持部
１０１  嵌合保持部
１０２  放熱部
１１０  送風器
１２０  ダクト
１３１  板バネ（押圧部材）
１４０  接着剤
１５１  嵌合保持部
【図１】
2005266424.tif 000003
【図２】
2005266424.tif 000004
【図３】
2005266424.tif 000005
【図４】
2005266424.tif 000006
【図５】
2005266424.tif 000007
【図６】
2005266424.tif 000008
【図７】
2005266424.tif 000009
【図８】
2005266424.tif 000010
【図９】
2005266424.tif 000011
【図１０】
2005266424.tif 000012
【図１１】
2005266424.tif 000013
【図１２】
2005266424.tif 000014
【図１３】
2005266424.tif 000015
【図１４】
2005266424.tif 000016
【図１５】
2005266424.tif 000017